(57)【特許請求の範囲】
【請求項１】
記録媒体に対して記録を行う記録部と、
前記記録部によって記録された記録媒体を搬送する搬送体と、
上下方向または斜め上下方向に延び、前記搬送体によって搬送された記録媒体を収容する収容部と、
前記搬送体によって搬送された記録媒体を前記収容部側に押し込む押し込み手段とを備え、
前記収容部は、前記記録媒体の寸法に応じて記録媒体の幅方向に移動され且つ前記記録媒体の側辺部を規制する規制板を有し、
前記押し込み手段は、前記搬送体によって送り出された前記記録媒体の後端部を前記収容部に押し込むように前記収容部に接近移動する移動体によって形成され、
前記移動体は、前記接近移動の際に前記規制板を挿通させる挿通孔が形成され且つ前記記録媒体の幅方向に延びる棒状体または板状体によって構成されている記録装置。
【請求項２】
請求項１に記載の記録装置であって、
移動体は、記録媒体の後端部を収容部の壁面に押し当てることにより前記記録媒体の収容部への収容を行うと共に、前記収容部内において前記記録媒体を前記壁面との間に挟み込んで保持する記録装置。
【請求項３】
請求項１に記載の記録装置であって、
記録媒体の供給を行う供給部を備え、
押し込み手段は、記録媒体を収容部の前記供給部側から前記収容部に押し込む記録装置。
【請求項４】
請求項１に記載の記録装置であって、
記録媒体の供給を行う供給部を備え、
押し込み手段は、記録媒体を収容部の前記供給部と反対の側から前記収容部に押し込む記録装置。
【請求項５】
記録媒体に対して記録を行う記録部と、
前記記録部によって記録された記録媒体を搬送する搬送体と、
上下方向または斜め上下方向に延び、前記搬送体によって搬送された記録媒体を収容する収容部と、
前記搬送体によって搬送された記録媒体を前記収容部側に押し込む押し込み手段とを備え、
前記押し込み手段は、先端部が前記搬送体の送り出し側に位置し且つ前記搬送体によって送り出された記録媒体の後端部を前記先端部により収容部に押し込むように回転する回転体によって形成されている記録装置。
【請求項６】
請求項５に記載の記録装置であって、
回転体は、収容部の区画壁を兼ねている記録装置。
【請求項７】
請求項５に記載の記録装置であって、
収容部は、記録媒体の寸法に応じて記録媒体の幅方向に移動され且つ記録媒体の側辺部を規制する規制板を有し、
回転体には、回転の際に前記規制板を挿通させる挿通孔が形成されている記録装置。
【請求項８】
請求項５に記載の記録装置であって、
収容部は、記録媒体の寸法に応じて記録媒体の幅方向に移動され且つ記録媒体の側辺部を規制する規制板を有し、
回転体は、前記記録媒体の寸法に応じて形成され且つ前記記録媒体の幅方向に並ぶ複数の板状部材によって構成されている記録装置。
【請求項９】
請求項１〜８のいずれか一つに記載の記録装置であって、
収容部は、記録媒体を上下方向に起立した状態に収容するように形成されている記録装置。
【請求項１０】
請求項１〜９のいずれか一つに記載の記録装置であって、
記録部は、非接触式の記録ヘッドを有している記録装置。
【請求項１１】
請求項１０に記載の記録装置であって、
記録ヘッドは、インクジェットヘッドにより構成されている記録装置。
【発明の詳細な説明】
【０００１】
【発明の属する技術分野】
本発明は、記録装置に関する。
【０００２】
【従来の技術】
図２１（ａ）に示すように、一般に普及しているプリンタ２００では、プリンタ本体２０１の上側に給紙トレイ２０２が設けられ、プリンタ本体２０１の前側に排紙トレイ２０３が設けられている。しかし、このような構成では、図２１（ｂ）に示すように、プリンタ２００を設置するために必要とされる設置スペース２０４は、プリンタ本体２０１に比較して相当大きなものとなる。そこで、設置スペースの低減を図るために、特開平１１−３３４９６３号公報には、図２２に示すように、薄型且つ縦長形状のプリンタ本体２１１を備え、給紙トレイ２１２と排紙トレイ２１３とがプリンタ本体２１１から斜め上方向に延びたいわゆる縦型のプリンタが提案されている。
【０００３】
ところで、記録紙の紙詰まり（ジャム）を防止するためには、排紙ローラ２１４によって搬送されてきた記録紙を、速やかに排紙トレイ２１３に収容させる必要がある。排紙トレイ２１３側に搬送されてきた記録紙が排紙ローラ２１４の後側に残っていると、この記録紙の後端部が新たに搬送されてきた記録紙の先端部と接触し、紙詰まりを生じやすくなるからである。
【０００４】
そこで、従来の縦型プリンタでは、排紙トレイ２１３への円滑な回収を実現するために、印字が終了した記録紙を、重力を利用して排紙トレイ２１３に回収していた。すなわち、排紙ローラ２１４を排紙トレイ２１３の底部よりも高い位置に設け、排紙ローラ２１４から送り出した記録紙の後端部を、重力の作用により排紙トレイ２１３上に落下させていた。
【０００５】
【発明が解決しようとする課題】
しかし、従来の縦型プリンタは、排紙ローラ２１４を排紙トレイ２１３の底部よりも高い位置に設けなければならなかったため、設計の自由度が低かった。また、排紙トレイ２１３を鉛直方向に延びるように形成することはできず、プリンタ本体から斜め上方に突出する形態に形成しなければならなかった。そのため、記録装置の小型化に関して一定の制約があった。
【０００６】
本発明は、かかる点に鑑みてなされたものであり、その目的とするところは、排紙ローラの設置位置の制約をなくし、記録装置の小型化を促進することにある。
【０００７】
【課題を解決するための手段】
本発明に係る記録装置は、記録媒体に対して記録を行う記録部と、前記記録部によって記録された記録媒体を搬送する搬送体と、上下方向または斜め上下方向に延び、前記搬送体によって搬送された記録媒体を収容する収容部と、前記搬送体によって搬送された記録媒体を前記収容部側に押し込む押し込み手段とを備え、前記収容部は、前記記録媒体の寸法に応じて記録媒体の幅方向に移動され且つ前記記録媒体の側辺部を規制する規制板を有し、前記押し込み手段は、前記搬送体によって送り出された前記記録媒体の後端部を前記収容部に押し込むように前記収容部に接近移動する移動体によって形成され、前記移動体は、前記接近移動の際に前記規制板を挿通させる挿通孔が形成され且つ前記記録媒体の幅方向に延びる棒状体または板状体によって構成されているものである。
【０００８】
上記記録装置によれば、記録後の記録媒体は搬送体によって搬送され、その後、押し込み手段によって収容部に押し込まれる。その結果、記録後の記録媒体が搬送体の送り出し側に残留することがなくなり、搬送体が新たな記録媒体を搬送する際に、記録媒体同士の接触による紙詰まりを生じるおそれはない。押し込み手段が記録媒体を収容部に押し込むので、搬送体を収容部の底部よりも高い位置に設けなくても、記録媒体を収容部に収容させることができる。したがって、搬送体の設置位置の制約がなく、装置の小型化が促進される。
【０００９】
また、押し込み手段が簡易な構成により実現されると共に、規制板が記録媒体の側辺部を規制するので、記録媒体の幅方向のずれがなくなり、収容部における記録媒体の収容状態が向上する。また、記録媒体の寸法に応じて規制板の位置を調整することにより、当該規制板によって種々の寸法の記録媒体を規制することができる。さらに、移動体には規制板を挿通させる挿通孔が形成されているので、移動動作の際に移動体と規制板との衝突は防止される。
【００１０】
移動体は、記録媒体の後端部を収容部の壁面に押し当てることにより前記記録媒体の収容部への収容を行うと共に、前記収容部内において前記記録媒体を前記壁面との間に挟み込んで保持するものであってもよい。
【００１１】
このことにより、収容部内における記録媒体の折れや曲がりが防止される。
【００１２】
前記記録装置は、記録媒体の供給を行う供給部を備え、押し込み手段は、記録媒体を収容部の前記供給部側から前記収容部に押し込むものであってもよい。
【００１３】
このことにより、記録媒体の搬送経路が短くなり、記録媒体が短時間で収容部に収容されやすくなる。
【００１４】
前記記録装置は、記録媒体の供給を行う供給部を備え、押し込み手段は、記録媒体を収容部の前記供給部と反対の側から前記収容部に押し込むものであってもよい。
【００１５】
このことにより、記録装置を横置きに設置した際に、収容部に対する記録媒体の収容に重力を利用することができるので、記録媒体をより確実に収容することができる。
【００１６】
本発明に係る他の記録装置は、記録媒体に対して記録を行う記録部と、前記記録部によって記録された記録媒体を搬送する搬送体と、上下方向または斜め上下方向に延び、前記搬送体によって搬送された記録媒体を収容する収容部と、前記搬送体によって搬送された記録媒体を前記収容部側に押し込む押し込み手段とを備え、前記押し込み手段は、先端部が前記搬送体の送り出し側に位置し且つ前記搬送体によって送り出された記録媒体の後端部を前記先端部により収容部に押し込むように回転する回転体によって形成されているものである。
【００１７】
このことにより、前記記録装置と同様の作用効果が得られると共に、回転体によって記録媒体を収容部に押し込むことができるので、搬送体の送り出し側に移動体を設ける必要がなくなり、移動体の設置スペースの分だけ装置を小型化することができる。
【００１８】
回転体は、収容部の区画壁を兼ねていてもよい。
【００１９】
このことにより、装置の省スペース化とコストダウンを図ることができる。
【００２０】
収容部は、記録媒体の寸法に応じて記録媒体の幅方向に移動され且つ記録媒体の側辺部を規制する規制板を有し、回転体には、回転の際に前記規制板を挿通させる挿通孔が形成されていてもよい。
【００２１】
このことにより、記録媒体を収容部に押し込む際に、回転体と規制板との衝突が防止される。
【００２２】
収容部は、記録媒体の寸法に応じて記録媒体の幅方向に移動され且つ記録媒体の側辺部を規制する規制板を有し、回転体は、前記記録媒体の寸法に応じて形成され且つ前記記録媒体の幅方向に並ぶ複数の板状部材によって構成されていてもよい。
【００２３】
このことにより、回転体は複数の板状部材によって構成されているので、記録媒体の寸法に応じて１または２以上の板状部材を選択的に回転させることにより、回転体と規制板との衝突を回避しつつ記録媒体を収容部に押し込むことができる。
【００２４】
収容部は、記録媒体を上下方向に起立した状態に収容するように形成されていることが好ましい。
【００２５】
このことにより、収容部を斜め方向に突出した形態に形成する必要がなくなるので、装置の小型化及び薄型化が促進される。
【００２６】
記録部は、非接触式の記録ヘッドを有していることが好ましい。
【００２７】
非接触式の記録ヘッドは比較的小さな記録ヘッドであるので、装置の小型化及び薄型化が促進される。
【００２８】
記録ヘッドは、インクジェットヘッドにより構成されていることが好ましい。
【００２９】
インクジェットヘッドは様々な記録媒体に記録を行うことができるので、使用可能な記録媒体の種類が拡大する。また、高画質の記録を得ることができる。ヘッド自体が小型であるので、装置の小型化が促進される。
【００３０】
【発明の効果】
以上のように、本発明の記録装置によれば、搬送体によって搬送された記録媒体を、該記録媒体の後端部を収容部に押し込むように収容部に接近移動する移動体によって形成された押し込み手段によって収容部側に押し込むと共に、前記収容部に、前記記録媒体の寸法に応じて記録媒体の幅方向に移動され且つ前記記録媒体の側辺部を規制する規制板を設け、前記移動体を、前記接近移動の際に前記規制板を挿通させる挿通孔が形成され且つ前記記録媒体の幅方向に延びる棒状体または板状体によって構成したので、搬送体と収容部との位置関係に拘わらず、記録媒体を収容部に円滑に導くことができる。したがって、搬送体の設置位置の制約が少なく、装置の設計自由度が拡大する。
【００３１】
また、収容部を上下方向または斜め上下方向に延びるように形成したので、装置の薄型化及び小型化を図ることができる。記録媒体を上下方向に起立した状態に収容することとすれば、更なる薄型化及び小型化を図ることができ、装置の省スペース化を促進することができる。
【００３２】
さらに、規制板により、記録媒体の幅方向のずれがなくなり、収容部における記録媒体の収容状態が向上すると共に、当該規制板によって種々の寸法の記録媒体を規制することができる。そして、このような規制板を設けても、移動体には規制板を挿通させる挿通孔が形成されているので、移動動作の際に移動体と規制板との衝突は防止される。
【００３３】
また、本発明の他の記録装置によれば、搬送体によって搬送された記録媒体を、先端部が前記搬送体の送り出し側に位置し且つ前記搬送体によって送り出された記録媒体の後端部を前記先端部により収容部に押し込むように回転する回転体によって形成された押し込み手段によって収容部側に押し込むようにしたので、前記記録装置と同様の作用効果が得られると共に、搬送体の送り出し側に移動体を設ける必要がなくなり、移動体の設置スペースの分だけ装置を小型化することができる。
【００３４】
【発明の実施の形態】
以下、本発明の実施の形態を図面に基づいて説明する。
【００３５】
＜実施形態１＞
図１及び図２に示すように、実施形態１に係る記録装置は、いわゆる縦置き設置が可能なインクジェット式のプリンタ１である。プリンタ１はいわゆる横置き設置も可能であるが、以下では縦置き設置した場合について説明する。
【００３６】
プリンタ１のケーシング１０は、縦長の直方体形状に形成されている。ケーシング１０の天板２５の左側部には給紙口１１が設けられ、右側部には排紙口１２が設けられている。給紙口１１及び排紙口１２は、いずれも前後方向に細長い開口であり、上向きに開口している。給紙口１１及び排紙口１２には、それぞれ蓋２３，２４が設けられている。
【００３７】
図２に示すように、ケーシング１０には、天板２５から下向きに延びる２つの区画板１９，２０と、ケーシング１０内の下部において左側板２６から右向きに延びる区画板２１と、ケーシング１０内の下部において右側板２７から左向きに延びる区画板２２とが設けられている。ケーシング１０の内部はこれら区画板１９，２０，２１，２２によって仕切られており、ケーシング１０の内部には、給紙部１３と制御部１６と記録部１７と排紙部１５とが形成されている。すなわち、ケーシング１０内の左側部分には、左側板２６と区画板１９と区画板２１とによって仕切られた給紙部１３が形成されている。ケーシング１０内の右側部分には、右側板２７と区画板２０と区画板２２とによって仕切られた排紙部１５が形成されている。ケーシング１０内の中央部の下側部分には、インクジェットヘッド１８を有する記録部１７が形成されている。記録部１７の上側には、区画板１９と区画板２０とによって仕切られた制御部１６が形成されている。なお、制御部１６と記録部１７とは、本体部７０を構成している。
【００３８】
給紙部１３の左側板２６と区画板１９と区画板２１とは、印字前の記録紙を収容する供給側収容部を形成している。区画板１９には、記録紙４０の紙倒れを防止するための紙倒れ防止機構５４が設けられている。紙倒れ防止機構５４は、区画板１９に固定されたバネ５５と、バネ５５の先端に固定されたローラ５６とを備えている。この紙倒れ防止機構５４は、バネ５５の付勢力によって記録紙４０の上端部を左側板２６側に押さえつけることにより紙倒れを防止する一方、ローラ５６の回転によって記録紙４０の搬送を円滑化するものである。
【００３９】
給紙部１３には、区画板２１上に左側板２６側に立て掛けられた傾斜板２８と、区画板２１上の先端側（図２の右側）に設けられた埋没自在な突起２９とが設けられている。傾斜板２８の下端部に対向する位置には、ピックアップローラ３０が設けられている。これら傾斜板２８、突起２９及びピックアップローラ３０は、給紙部１３内の記録紙４０を記録部１７側に向かって一枚毎に送り出すための用紙送り出し手段を構成している。給紙部１３内の紙を送り出す際には、突起２９が区画板２１内に埋没するとともに傾斜板２８の傾き度合いが大きくなり、傾斜板２８上の記録紙４０の下端部がピックアップローラ３０と接触する。そして、ピックアップローラ３０が回転することにより、傾斜板２８上の最も上側に位置する記録紙４０のみが記録部１７側に送り出されることになる。
【００４０】
ピックアップローラ３０の下方には、前後方向（図２の紙面表裏方向）に複数配列されたピンチローラ（分割ローラ）３１と、これらピンチローラ３１と対向するように配置された駆動ローラからなる給紙ローラ３２とが設けられている。ピックアップローラ３０とピンチローラ３１と給紙ローラ３２とは、上下方向に一直線上に並んでいる。そのため、ピックアップローラ３０と給紙ローラ３２とは、上下方向にオーバーラップしている。ピンチローラ３１の左方には、給紙部１３から記録部１７に向かって延びるガイド板３３が設けられている。このガイド板３３は、給紙部１３から搬送される記録紙４０の先端部を給紙ローラ３２とピンチローラ３１との間に導くものである。なお、ピックアップローラ３０とピンチローラ３１と給紙ローラ３２とは、供給側搬送機構を構成している。
【００４１】
図３に示すように（なお、図２においては、記録部１７の詳細な構成は省略している。）、記録部１７は、記録ヘッドとしてのインクジェットヘッド１８と、インクジェットヘッド１８にインクを供給するインクタンク３６とを備えている。本実施形態のインクジェットヘッド１８は、ピエゾ式のインクジェットヘッドである。ただし、記録ヘッドには、バブル式のインクジェットヘッド等、その他のヘッドを用いてもよい。インクタンク３６はインクジェットヘッド１８に一体的に取り付けられている。インクジェットヘッド１８及びインクタンク３６は、前後方向（図３の左右方向）に延びるキャリッジ軸３７に対して往復移動自在に取り付けられている。キャリッジ軸３７の下方には、インクジェットヘッド１８のヘッド面と対向するように配置されたプラテン３４が設けられている。
【００４２】
プラテン３４の後側には、インクジェットヘッド１８が非記録位置にあるときにインクジェットヘッド１８のヘッド面を覆うキャップ３８が設けられている。キャップ３８にはインク排出用のチューブ３９が取り付けられており、このチューブ３９にはインク吸引機構４１が設けられている。インク吸引機構４１は、インクジェットヘッド１８のインクをキャップ３８内に吸引除去し、さらにキャップ３８内のインクをチューブ３９を通じてインク容器４２に排出するものである。インク吸引機構４１の構成は特に限定されるものではなく、例えば図４（ａ）及び（ｂ）に示すように、吸引弁４３及び排出弁４４を備えた蛇腹状の伸縮体４５によって構成されたポンプであってもよい。
【００４３】
インクジェットヘッド１８は、ノズル内のインクの増粘を防止するために、非記録位置において間欠的に全ノズルからインクを吐出するように構成されている。プラテン３４の前側には、そのように吐出されたインクを回収するインク容器３５が設けられている。なお、キャップ３８、インク容器４２及びインク容器３５の内部には、主としてインクの飛散を防止するために、スポンジ等からなるインク吸収体４６が設けられている。プリンタ１を横置きにしたときにインク容器４２からインクが漏れないようにするために、インク容器４２はチューブ３９を挿入する開口部以外は密閉されていることが好ましい。
【００４４】
図２に示すように、プラテン３４の右方には、駆動ローラからなる排紙ローラ４７と、排紙ローラ４７と対向するように配置された拍車ローラ４８とが設けられている。拍車ローラ４８は、前後方向に所定間隔毎に配列された複数の小ローラからなっている。拍車ローラ４８は、記録紙４０を所定間隔毎に押さえつけることによって記録紙４０に適度な張力を与え、ジャム（紙詰まり）の発生を防止している。
【００４５】
インクジェット方式の記録では、記録紙４０にインク滴を着弾させてインクドットを形成するが、記録紙４０にインク滴が着弾すると、インクに含まれる溶媒は直ちに蒸発する。すると、記録紙４０の収縮が起こり、そのままでは記録紙４０に皺や波打ちが発生し、インクジェットヘッド１８と記録紙４０との間の間隔が変動して記録の品質が低下しやすい。そこで、本実施形態では、排紙ローラ４７の対向ローラとして拍車ローラ４８を用い、記録紙４０に張力を与えることによって、記録紙４０のプラテン３４上の領域を平坦な面にしている。また、拍車ローラ４８は、インクドットを形成した直後の記録面と直接接触するため、記録面との接触面積は小さい方がよい。そこで、本プリンタ１では、拍車ローラ４８は複数の小ローラからなるいわゆる分割拍車ローラによって形成されている。
【００４６】
プラテン３４の右側部の上方には、記録紙４０を排紙ローラ４７と拍車ローラ４８との間に導くガイド板４９が設けられている。ガイド板４９は水平方向に延びる板状部材からなり、その左端部は記録紙４０を導入しやすいように上方に傾斜している。
【００４７】
排紙ローラ４７及び拍車ローラ４８の右方には、記録紙４０の搬送経路を排紙部１５に向かって右斜め上方に変更させる経路変更板５０が設けられている。
【００４８】
経路変更板５０の右上方には、駆動ローラ５１と対向ローラ５２とが設けられている。駆動ローラ５１及び対向ローラ５２の上方には、左右方向に移動自在な押し込み体５３が設けられている。押し込み体５３は、駆動ローラ５１及び対向ローラ５２によって搬送された記録紙４０の後端部（記録紙終端から記録紙全体の約１／３の大きさの部分）を排紙部１５内に押し込むものである。本実施形態では、押し込み体５３は前後方向に延びる平板形状に形成されているが、押し込み体５３の形状は特に限定されるものではなく、例えば円柱形状等の棒状体など、他の形状であってもよい。なお、排紙ローラ４７、拍車ローラ４８、経路変更板５０、駆動ローラ５１、及び対向ローラ５２は、排出側搬送機構（言い換えると、搬送体）を構成している。
【００４９】
排紙部１５の右側板２７と区画板２０と区画板２２とは、記録後の記録紙４０を収容する排紙側収容部を形成している。給紙部１３と同様、排紙部１５の区画板２０にも、バネ５５及びローラ５６を有する紙倒れ防止機構５４が設けられている。
【００５０】
また、排紙部１５には、上下移動自在な移動板５７が設けられている。移動板５７は記録時には排紙部１５の底部（つまり、区画板２２の表面上）に位置する一方、記録紙４０を排紙口１２から取り出す際には、上方に移動する。これにより、記録紙４０は排紙口１２から所定長さ分だけ突出する。したがって、ユーザは記録紙４０の上端部をつまんで引き出すことによって、排紙部１５の内部に手を挿入することなく記録紙４０を容易に取り出すことができる。
【００５１】
図５に示すように、排紙部１５には、記録紙４０の側辺を規制する用紙隔壁（規制板）６０が設けられている。用紙隔壁６０は前後方向（つまり、記録紙４０の幅方向）に移動自在な平板であり、記録紙４０の用紙サイズに応じて手動または自動で上記方向に移動する。
【００５２】
図６（ａ）に示すように、押し込み体５３には、押し込み体５３の移動の際に用紙隔壁６０を挿通させる第１及び第２のスリット５３ａ，５３ｂが形成されている。第１スリット５３ａは、記録紙４０がＡ６サイズの用紙の場合に用紙隔壁６０が設定される位置に形成されている。第２スリット５３ｂは、記録紙４０がＡ５サイズの用紙の場合に用紙隔壁６０が設定される位置に形成されている。このようにスリット５３ａ，５３ｂが形成されていることにより、押し込み体５３と用紙隔壁６０との衝突が防止され、押し込み体５３の円滑な動作が確保されている。
【００５３】
なお、図６（ｂ）に示すものは、本発明の実施形態とは異なる参考形態であり、この参考形態では、押し込み体５３を複数の部材５３ｃ，５３ｄ，５３ｅに分割し、押し込み体５３と用紙隔壁６０との衝突を防止するようにする。
【００５４】
移動板５７には、移動板５７の上下移動の際に用紙隔壁６０を挿通させる第１及び第２の挿通口６４，６５が形成されている。第１挿通口６４は、記録紙４０がＡ６サイズの用紙の場合に用紙隔壁６０が設定される位置に形成されている。第２挿通口６５は、記録紙４０がＡ５サイズの用紙の場合に用紙隔壁６０が設定される位置に形成されている。このように挿通口６４，６５が形成されていることにより、記録紙４０の取り出しの際に移動板５７と用紙隔壁６０との衝突が防止され、移動板５７の円滑な昇降動作が確保されている。
【００５５】
なお、制御部１６には、給紙部１３に収容された用紙サイズを検出する用紙サイズ検出器７１と、用紙隔壁６０の設定位置が記録紙４０の用紙サイズに対応していないときに警告を発するアラーム機構７２とが設けられている。用紙サイズ検出器７１は、用紙サイズをユーザの手動による入力により検出するものであってもよく、用紙サイズを自動的に検出するものであってもよい。アラーム機構７２には、警告音を発信する機構や、プリンタ１の表示部（図示せず）に所定の警告を表示させる機構等を用いることができる。また、アラーム機構７２は、プリンタ１の破損を防止するため、用紙隔壁６０の設定位置が記録紙４０の用紙サイズに対応していないときに、移動板５７の移動を強制的に中止させる保護装置を備えていてもよい。
【００５６】
図７に示すように、移動板５７の上昇位置は、排紙口１２から突出する記録紙４０の突出長さＬが一定となるように、記録紙４０の用紙サイズに応じて異なっている。すなわち、移動板５７は、用紙サイズが小さいほど高い位置にまで上昇するように構成されている。例えば、図７（ａ）に示すように、記録紙４０がＡ６サイズの用紙の場合には、移動板５７は最も上方の第１位置にまで上昇する。図７（ｂ）に示すように、記録紙４０がＡ５サイズの用紙の場合には、移動板５７は上記第１位置よりも低い第２位置にまで上昇する。図７（ｃ）に示すように、記録紙４０がＡ４サイズの用紙の場合には、移動板５７は最も低い第３位置にまで上昇する。したがって、用紙サイズの異なる複数種類の記録紙４０を用いた場合であっても、記録紙４０の排紙口１２からの突出長さは一定となり、記録紙４０の取り出し作業は容易になる。また、用紙サイズの大きな記録紙４０を取り出す場合であっても、プリンタ１の上方に必要とされる空間は小さくてすむ。そのため、設置スペースを低減することができる。
【００５７】
図１に示すように、ケーシング１０の前面には、排出スイッチ５８と、排出完了表示部５９とが設けられている。排出スイッチ５８は、ユーザが排紙部１５の記録紙４０を取り出す際に入力するスイッチである。当該排出スイッチ５８の入力により、排紙部１５の蓋２４が開放されるとともに移動板５７が上昇し、排紙口１２から記録紙４０の一部が突出する。これにより、ユーザは記録紙４０を容易に取り出すことができる。排出スイッチ５８は、押しボタンスイッチ等の公知のスイッチの他、リモコン等によって遠隔操作される各種スイッチ等によって構成することができる。排出完了表示部５９は、排紙部１５内の記録紙４０の有無を通知するための表示部であり、排紙部１５に記録紙４０が残っているときには点灯し、記録紙４０の取り出しが完了すると消灯する。なお、排出完了表示部５９の表示方法は特に限定されるものではなく、記録紙４０の取り出しが完了したときに点灯するように構成されていてもよい。また、排出完了表示部５９は独立した表示部であってもよく、プリンタ１の各種設定のために用いられる表示部（図示せず）と兼用されていてもよい。
【００５８】
以上のように、本実施形態に係るプリンタ１では、給紙部１３及び排紙部１５は上向きに延びており、本体部７０は給紙部１３と排紙部１５との間に設けられている（図２参照）。また、給紙部１３から記録部１７に至る搬送経路及び記録部１７から排紙部１５に至る搬送経路は、それぞれ記録紙４０の搬送方向を略直角に変化させるように形成されている。給紙部１３から排紙部１５に至る搬送経路の全体は、略Ｕ字型に形成されている。
【００５９】
図８に示すように、記録部１７から排紙部１５に向かう搬送経路の変更角度θ、つまり記録部１７における搬送方向Ｄ１と排紙部１５に向かう搬送方向Ｄ２とのなす角の角度θは、９０度〜１８０度となっている。なお、角度θは９０度〜１５０度が好ましく、１１０度〜１３０度が特に好ましい。本実施形態では、上記角度θは約１２０度に設定されている。このように角度θを９０度〜１８０度とした理由は、記録紙４０自体の復元力によって記録紙４０をプラテン３４に押しつけ、記録面を平坦化するためである。
【００６０】
図１及び図２に示すように、給紙部１３の給紙口１１と排紙部１５の排紙口１２とは、天板２５と同じ高さに設けられている。また、蓋２３，２４を閉じた状態において、ケーシング１０の上面は面一となる。したがって、ケーシング１０の上に記録紙等を一時的に載置することができ、プリンタ１００の上方のスペースを有効活用することができる。
【００６１】
次に、図２を参照しながら、給紙から排紙に至るまでの動作について説明する。
【００６２】
給紙の際には、まず、給紙部１３の蓋２３が開放され、給紙口１１から記録紙４０が挿入される。挿入された記録紙４０は、それらの下辺部が突起２９によって支持された状態で、給紙部１３内に収容される。通常は複数枚の記録紙４０が収容されるが、１枚の記録紙４０を収容することも勿論可能である。
【００６３】
記録動作の際には、突起２９が埋没すると同時に、傾斜板２８の下端部が右側に移動するように傾斜板２８が移動する。これにより、傾斜板２８上の最も上側に位置する記録紙４０がピックアップローラ３０と接触し、ピックアップローラ３０の回転によって上記記録紙４０が取り出される。そして、この記録紙４０は、給紙ローラ３２によって記録部１７に搬送される。
【００６４】
記録部１７においては、インクジェットヘッド１８から記録紙４０に向かってインク滴が吐出される。これらインク滴は記録紙４０に着弾し、記録紙４０上に複数のインクドットを形成する。そして、これらインクドットにより、記録紙４０上に所望の画像等が形成される。
【００６５】
画像等が形成された記録紙４０は、排紙ローラ４７によって搬送され、経路変更板５０によって搬送経路を変えた後、駆動ローラ５１によって排紙部１５に搬送される。排紙部１５に搬送された記録紙４０は、その後端部（記録紙終端から記録紙全体の約１／３の大きさの部分）が押し込み体５３によって右方向に押し込まれることにより、排紙部１５内に起立した状態で収容される。
【００６６】
その時、押し込み体５３は、用紙隔壁（規制板）６０の下部を通過して記録紙４０の後端部を押し込み、その後、記録紙４０を排紙部１５に収納しているときは記録紙４０を右方向に押し込んだまま保持し、記録紙４０を右側板２７と押し込み体５３とで挟み込んで、記録紙４０の後端の移動や、記録紙４０の折れや曲がりなどを防止することが好ましい。この場合、記録紙４０を排紙部１５から取り出す時、または次の記録紙４０が排紙部１５に収納される時などは、押し込み体５３を左側に戻し、挟み込みを解除する。
【００６７】
上述の搬送動作及び記録動作は記録紙４０ごとに連続して行われ、その結果、排紙部１５に複数枚の記録紙４０が収容される。その後は、ユーザが排出スイッチ５８をＯＮすることにより、排紙部１５の蓋２４が開放され、移動板５７の上昇によって記録紙４０が上方に持ち上げられる。その結果、記録紙４０の一部が排紙口１２から突出することになり、ユーザは記録紙４０を容易に取り出すことができる。
【００６８】
なお、上記説明では、プリンタ１を縦置き設置した場合を説明したが、本プリンタ１は横置き設置も可能である。なお、横置き設置の場合には、移動板５７は上下方向に移動する代わりに水平方向に移動することになる。具体的には、図９に示すように、記録紙４０を水平状態で供給及び排出するように横置きすることもでき、また、図１０に示すように、記録紙４０を垂直状態で供給及び排出するように横置きすることも可能である。本プリンタ１は、設置スペース及び設置環境に応じて、縦置き及び横置きのいずれの設置態様も自由に選択することができる。
【００６９】
以上のように、本プリンタ１では、給紙部１３及び排紙部１５が互いに平行に形成されているので、プリンタの全体形状が薄型になっている。したがって、プリンタの小型化を促進することができ、設置スペースの削減を図ることができる。従来のようにプリンタ専用のラック等は不要となり、例えば、縦置き設置する場合には、テレビの横やタワー型パソコンの横などの小さなスペースにも設置することが可能となる。また、リビングに置いても、違和感なく使用することができる。
【００７０】
縦置き設置の場合に、給紙部１３及び排紙部１５のそれぞれが鉛直方向に延びる状態となるので、プリンタ１は転倒しにくくなる。特に、本実施形態では、給紙部１３と排紙部１５とは本体部７０を挟んで反対側に配置されているので、プリンタ１００の全体の重心は、ケーシング１０の中央部に位置しやすくなる。そのため、プリンタ１の転倒のおそれは少ない。また、記録動作時の振動が抑制される。したがって、記録動作は安定し、印字品質は向上する。
【００７１】
ピックアップローラ３０と給紙ローラ３２とがケーシング１０の長手方向にオーバーラップしているので、ケーシング１０の幅を薄くすることができる。
【００７２】
押し込み体５３は記録紙４０を排紙部１５の給紙部１３側から押し込むように構成されているので、記録紙４０の搬送経路を短くすることができる。したがって、記録紙４０を短時間で排紙部１５に収容させることができる。
【００７３】
記録部１７の記録ヘッドとしてインクジェットヘッド１８を用いているので、記録部１７を小型化することができる。また、高画質の画像を得ることができる。記録部１７における搬送方向Ｄ１と排紙部１５に向かう搬送方向Ｄ２とのなす角の角度θが１８０度以下であるので、プラテン３４上の記録紙４０は、記録紙４０自体の復元力によってプラテン３４側に押さえつけられる。したがって、記録紙４０の後端部がプラテン３４上から跳ね上がることはない。そのため、記録紙４０の記録面の位置が変動することがなく、記録品質は向上する。また、記録紙４０の後端部がインクジェットヘッド１８に接触するおそれがなく、記録紙４０によるインクジェットヘッド１８の損傷は起こらない。
【００７４】
ところで、記録紙４０に張力を与えるための拍車ローラ４８として分割拍車ローラを用いる装置では、拍車ローラ４８だけでは記録紙４０に与えられる張力は小さくなりやすい。また、記録紙４０に与えられる張力は不均一になりやすい。しかし、本実施形態のプリンタ１では、記録紙４０自体の復元力によって記録紙４０がプラテン３４側に押さえつけられるので、記録紙４０の全体が適度な力で且つ均一にプラテン３４に押しつけられる。したがって、分割拍車ローラを用いているにも拘わらず、記録紙４０の記録面を十分に平坦化することができる。
【００７５】
縦置き設置の場合に、排紙部１５に導入された記録紙４０の後端部を押し込み体５３によって排紙部１５側に押し込むこととしたので、ジャムの発生をより確実に防止することができる。すなわち、複数枚の記録紙４０を連続印刷する際に、先に印字された記録紙４０の後端部が駆動ローラ５１及び対向ローラ５２の近傍に残っていると、後から印字された記録紙４０の先端部が先の記録紙４０の後端部と接触し、ジャムを発生しやすくなる。しかし、本実施形態によれば、先の記録紙４０の後端部は押し込み体５３によって排紙部１５の右側板２７側に押し込まれるので、先の記録紙４０が後の記録紙４０の搬送経路を邪魔することがなく、ジャムの発生は未然に防止される。
【００７６】
記録部１７がケーシング１０の下部に設けられ、記録部１７は周りを覆われているので、ユーザが誤って記録部１７に触れることがない。したがって、ユーザが誤って記録部１７を破損させるおそれはない。
【００７７】
また、印字された記録紙４０は、周囲を覆われた排紙部１５に収容される。そのため、直ちにプリンタ１の外部に排出される従来のプリンタと異なり、ユーザが印字直後の記録紙４０の記録面に触れるおそれはない。したがって、記録紙４０の記録面が十分に乾燥してから記録紙４０を取り出すことになるので、印字のにじみ等は防止される。
【００７８】
給紙部１３及び排紙部１５には開閉自在な蓋２３，２４がそれぞれ設けられているので、給紙部１３及び排紙部１５に塵や挨が入り込むことを防止することができる。そのため、プリンタ１の信頼性及び寿命を向上させることができる。
【００７９】
排出完了表示部５９を設けたので、ユーザが排紙部１５における記録紙４０の有無を容易に把握することができる。
【００８０】
排出スイッチ５８を設け、排出スイッチ５８を入力したときに排紙部１５の蓋２４を開放することとしたので、記録紙４０の取り出しのときにだけ排紙部１５を開放することができる。
【００８１】
−変形例−
なお、記録紙４０を上昇させる移動板５７は、一枚の板に挿通口６４，６５を設ける代わりに、図１１に示すように、互いに分離された複数の移動板６１，６２，６３から構成されていてもよい。この場合、移動板６１，６２，６３のすべてを昇降させてもよく、用紙サイズに応じて１または２の移動板のみを昇降させてもよい。
【００８２】
搬送経路の変更角度θは前述した値に限らず、記録紙４０の後端部が下向きに力を受ける限り、どのような値でもよく、０〜１８０度の範囲内で任意の値をとることができる。
【００８３】
上記実施形態では、ユーザが排出スイッチ５８をＯＮすることにより記録紙４０を取り出すようにしていたが、このような手動の操作に限らず、所定の記録動作が終了すると蓋２４の開放及び移動板５７の移動が自動的に行われるようになっていてもよい。
【００８４】
＜実施形態２＞
図１２に示すように、実施形態２に係るプリンタ１００は、排紙部１５の区画板２２を記録部１７のプラテン３４の表面よりも低い位置に設け、記録部１７からの記録紙４０を排紙部１５に導く駆動ローラ５１及び対向ローラ５２等を省略することとしたものである。
【００８５】
本プリンタ１００では、排紙部１５の排紙口１２は給紙部１３の給紙口１１よりも低い位置に設けられており、排紙部１５の上部には段差部が設けられている。ただし、実施形態１と同様に排紙口１２を給紙口１１と同じ高さに設けてもよいことは勿論である。排紙部１５の区画板２２は、給紙部１３の区画板２１よりも低い位置に設けられている。
【００８６】
本プリンタ１００は、記録部１７から排紙部１５に搬送された記録紙４０を排紙部１５に押し込む押し込み手段として、実施形態１のようなスライド移動式の押し込み体５３ではなく、図１３（ａ）及び（ｂ）に示すように、回転式の押し込み板１０１を備えている。押し込み板１０１は、記録紙４０の用紙サイズに応じて分割された複数の板、すなわち第１押し込み板１０２と第２押し込み板１０３と第３押し込み板１０４とから構成されている。押し込み板１０２〜１０４の上辺部は、回転軸１０５に固定されている。回転軸１０５は、排紙部１５の左上部に配置されている。また、押し込み板１０１は排紙部１５の区画板の一部（左側壁）としても機能しており、同一の手段で２つの機能を果たしているので、省スペースとコストダウンが図られている。これにより、回転軸１０５を回転させることによって押し込み板１０１は上辺部を中心として回転する。記録紙４０を排紙部１５に搬送する際には、押し込み板１０１は記録部１７側に傾き（図１３（ｂ）参照）、排紙部１５の導入部分の空間を大きくすることによって記録紙４０の搬送を容易にする。一方、記録紙４０を排紙部１５に収容した後は、押し込み板１０１は右側板２７側に傾き（図１３（ａ）参照）、紙倒れ防止機構５４（図１３においては図示せず）によって記録紙４０を排紙部１５の右側板２７側に押しつける。
【００８７】
排紙部１５には、前後方向（つまり、用紙の幅方向）に移動自在な用紙隔壁１０６が設けられている。この用紙隔壁１０６は、排紙部１５の収容空間を記録紙４０のサイズに応じた大きさに調整するためのものである。押し込み板１０２〜１０４の押し込み動作の際に押し込み板１０２〜１０４が用紙隔壁１０６とぶつからないように、各押し込み板１０２〜１０４の間には、用紙隔壁１０６の厚みよりも幅の広い隙間が形成されている。
【００８８】
第１押し込み板１０２は、Ａ６サイズの記録紙４０に対応した大きさに形成されている。第２押し込み板１０３は、第１押し込み板１０２と共同することによってＡ５サイズの記録紙４０に対応する大きさに形成されている。第３押し込み板１０４は、第１押し込み板１０２及び第２押し込み板１０３と共同することによってＡ４サイズの記録紙４０に対応する大きさに形成されている。そして、記録紙４０がＡ６サイズの用紙の場合には、用紙隔壁１０６は第１押し込み板１０２と第２押し込み板１０３との間に設定される。一方、記録紙４０がＡ５サイズの用紙の場合には、用紙隔壁１０６は第２押し込み板１０３と第３押し込み板１０４との間に設定される。記録紙４０がＡ４サイズの用紙の場合には、用紙隔壁１０６は第３押し込み板１０４の後側（図１３（ａ）に示す左側）に設定される。
【００８９】
また、本プリンタ１００では、移動板５７もまた、用紙サイズに応じて第１移動板１０７、第２移動板１０８、第３移動板１０９に分割されている。第１〜第３移動板１０７〜１０９の間にも、用紙隔壁１０６よりも幅の大きな隙間が形成されている。
【００９０】
なお、押し込み板１０１の各板１０２〜１０４は、一体となって回転するように形成されていてもよく、個別に回転するように形成されていてもよい。また、移動板５７の各板１０７〜１０９も、一体となって移動するように形成されていてもよく、個別に移動するように形成されていてもよい。
【００９１】
また、押し込み板１０１を複数の分割板１０２〜１０４によって構成する代わりに、用紙隔壁１０６を挿通させる挿通孔が形成された一枚の板によって構成することも可能である。
【００９２】
図示は省略するが、押し込み板１０１の代わりに、記録紙４０を排紙部１５側に押し込む押し込み面を有する回転自在なブロック体を用いてもよい。
【００９３】
本実施形態のプリンタ１００も、実施形態１のプリンタ１と同様、縦置き設置及び横置き設置の両方の設置態様が可能である。
【００９４】
本実施形態においても、押し込み板１０１によって記録紙４０を排紙部１５側に押し込むこととしたので、記録後の記録紙４０を排紙部１５に円滑に導くことができる。
【００９５】
加えて、押し込み板１０１が回転式に形成されているので、実施形態１と異なり、記録部１７と排紙部１５との間に押し込み体を収容するためのスペースを設ける必要がない。したがって、プリンタを更に小型化することができる。   本実施形態では、区画板２２をプラテン３４の表面よりも低い位置に設けたので、排紙ローラ４７から搬送された記録紙４０を排紙部１５に導入するための導入機構（実施形態１における駆動ローラ５１及び対向ローラ５２など）は不要となる。したがって、部品点数の削減及びプリンタの更なる小型化が可能となる。また、排紙経路が短縮化されるので、排紙に必要な時間を短くすることができる。
【００９６】
−変形例−
上記実施形態では、排紙部１５の区画板２２及び移動板５７は、水平方向に延びる平板形状に形成されていた。しかし、図１４に示すように、区画板２２及び移動板５７を記録部１７側に向かって上方に傾斜する傾斜板によって形成してもよい。区画板２２及び移動板５７を記録部１７に向かって上方に傾斜するように形成することにより、記録紙４０の下端部は右側板２７側に移動しようとする力を受ける。したがって、図１５（ａ）に示すような記録紙４０のたわみを防止することができ、図１５（ｂ）に示すように、記録紙４０を直立状態に保持することが容易になる。
【００９７】
図１６に示すように、紙倒れ防止機構５４を押し込み板１０１と制御部１６との間に設けてもよい。このように紙倒れ防止機構５４を押し込み板１０１の制御部１６側に設けることにより、プリンタ１００を横置きした場合に、押し込み板１０１の上面（右側板２７側の面）に記録紙４０を載置することが容易になる。つまり、押し込み板１０１の上面に紙倒れ防止機構５４が設けられていないので、押し込み板１０１の上面は平らな面となり、記録紙４０を容易に積層することができる。したがって、記録紙４０を整頓した状態で収容することができ、記録紙４０の収容状態を向上させることができる。
【００９８】
横置き設置の場合には、排紙ローラ４７と拍車ローラ４８との間から排紙部１５に向かって記録紙４０が導入される際に、移動板５７を若干量だけ水平方向に移動させることにより、記録紙４０の後縁部を排紙部１５の内部に押し出すようにすることが好ましい。これにより、記録紙４０は排紙部１５内の適正な位置に導かれることになる。
【００９９】
横置き設置の場合には、記録紙４０のサイズによっては、排紙部１５に導入したときに記録紙４０の先端部が排紙部１５の蓋２４に接触し、記録紙４０の先端部がたわんでしまうおそれがある。そのような場合は、蓋２４を開放した状態で記録紙４０を排紙部１５に導入することが好ましい。蓋２４は、記録紙４０を排紙部１５に導入する際に自動的に開放するように構成されていてもよい。
【０１００】
＜実施形態３＞
図１７に示すように、本実施形態に係るプリンタ１１０は、排紙部１５の区画板２２を記録部１７側に向かって下方に傾斜するように形成し、区画板２２に記録紙４０の搬送経路の変更機能を持たせることにより、経路変更板５０を省略したものである。
【０１０１】
プリンタ１１０の区画板２２は、排紙ローラ４７及び拍車ローラ４８の右側近傍にまで延びており、区画板２２の先端部はプラテン３４の表面よりも低い位置にある。そのため、排紙ローラ４７と拍車ローラ４８との間を通過した記録紙４０は、その先端が区画板２２上を移動することにより、搬送経路が右向き方向から徐々に上向き方向に変更される。このように、本実施形態では、排紙部１５の区画板２２が搬送経路の一部を形成している。
【０１０２】
したがって、本実施形態によれば、経路変更板５０を省略することができ、部品点数の削減を図ることが可能となる。また、排紙経路を更に短縮することができ、排紙時間を一層短くすることができる。
【０１０３】
なお、本プリンタ１１０も、縦置き設置及び横置き設置の両方の設置態様が可能である。
【０１０４】
＜実施形態４＞
図１８に示すように、実施形態４に係るプリンタ１１１は、記録部１７から排紙部１５への記録紙４０の挿入を、排紙部１５の右側から行うようにしたものである。
【０１０５】
本実施形態では、給紙部１３の用紙送り出し手段は、傾斜板２８の代わりに、記録紙４０の下端部を記録部１７側に押し込む押し込み板１１２を備えている。したがって、本実施形態における用紙送り出し手段は、押し込み板１１２、突起２９及びピックアップローラ３０によって構成されている。なお、押し込み板１１２は、プリンタ１１１を縦置き設置した場合には左右方向に移動し、横置き設置した場合には上下方向に移動する。
【０１０６】
記録部１７のプラテン３４の上方には、記録紙４０をインクジェットヘッド１８とプラテン３４との間に導くガイド板１１３，１１４が設けられている。排紙部１５の右側板１１７の下側には、経路変更板５０によって搬送経路が変更された記録紙４０を導入する導入口１１８が形成されている。本実施形態では、駆動ローラ５１及び対向ローラ５２は、導入口１１８に設けられている。
【０１０７】
本実施形態では、印字された記録紙４０は、排紙部１５の区画板２０上に堆積されていく。そのため、記録紙４０が堆積される面を収容側壁面と称するとすると、給紙部１３の収容側壁面（つまり左側板２６）と排紙部１５の収容側壁面（区画板２０）とは、同一の側（図１８の左側）に位置することになる。したがって、図１９に示すように、プリンタ１１１を横置きした場合に、給紙部１３の収容側壁面と排紙部１５の収容側壁面とを、共に下面とすることができる。また、横置き設置の場合に、排紙部１５の導入部分は上側に位置することになるので、排紙部１５への記録紙４０の搬送が容易になる。排紙部１５への搬送に際して重力を利用することができるので、記録紙４０をより確実に排紙部１５へ収容することができる。
【０１０８】
なお、横置き設置の場合に記録紙４０の取り出しを容易にするために、排紙部１５の区画板２０に、排紙口１２に向かって上向きに傾斜する傾斜板１１５を設けるようにしてもよい。また、蓋２４を開いた状態で記録紙４０の先端部をつかみやすいように、記録紙４０の先端部を持ち上げる突起１１６を蓋２４の内面に設けるようにしてもよい。
【０１０９】
本実施形態に係るプリンタ１１１も、縦置き設置及び横置き設置の両方の設置態様が可能である。
【０１１０】
＜実施形態５＞
図２０に示すように、実施形態５に係るプリンタ１２０は、給紙部１３と排紙部１５とを隣接させ、記録部１７を排紙部１５の外側に設けたものである。
【０１１１】
本実施形態では、区画板２１の突起２９の右方に、ピックアップローラを兼ねる給紙ローラ１２１が設けられている。給紙ローラ１２１の右側には、対向ローラ１２２が設けられている。記録部１７は、給紙ローラ１２１の右斜め上に設けられている。記録動作の際に記録紙４０が鉛直方向に搬送されるように、給紙ローラ１２１と対向ローラ１２２との隙間、インクジェットヘッド１８とプラテン３４との隙間、及び排紙ローラ４７と拍車ローラ４８との隙間は、鉛直方向に並んでいる。本実施形態では、排紙部１５の右側板は実施形態２と同様の押し込み板１０１によって形成されている。
【０１１２】
なお、本実施形態に係るプリンタ１２０も、縦置き設置及び横置き設置の両方の設置態様が可能である。
【０１１３】
＜その他の実施形態＞
記録部１７の記録ヘッドは、インクジェットヘッド１８に限らず、他のヘッドでもよい。ただし、記録部１７の小型化のためには、非接触印字方式の記録ヘッドが好ましい。例えば、レーザ露光による感熱記録方式のヘッド、トナーを飛翔させることによって記録を行うトナージェット方式のヘッド等を好適に用いることができる。
【０１１４】
記録媒体は記録用紙４０に限定されるものではなく、ＯＨＰ用のフイルムなど、その他のシート状記録媒体であってもよい。
【図面の簡単な説明】
【図１】  プリンタを縦置き設置した場合の斜視図である。
【図２】  プリンタの内部構造を示す断面図である。
【図３】  記録部の要部の概略構成図である。
【図４】  （ａ）及び（ｂ）は、インク吸引機構の断面図である。
【図５】  排紙部の要部の斜視図である。
【図６】  （ａ）は排紙部の要部の斜視図であり、（ｂ）は、参考形態に係る押し込み体の斜視図である。
【図７】  （ａ）〜（Ｃ）は、用紙サイズに応じた規制板の上昇位置を説明する概念図である。
【図８】  記録紙の搬送経路を説明する記録部近傍の正面図である。
【図９】  プリンタを横置き設置した場合の斜視図である。
【図１０】  プリンタを横置き設置した場合の斜視図である。
【図１１】  排紙部の変形例の斜視図である。
【図１２】  プリンタの内部構造を示す断面図である。
【図１３】  （ａ）及び（ｂ）は、排紙部の要部の斜視図である。
【図１４】  プリンタの内部構造を示す断面図である。
【図１５】  排紙部における記録紙のたわみ状態を説明するための図であり、（ａ）は規制板が水平な場合、（ｂ）は規制板が傾斜している場合を示す。
【図１６】  プリンタの内部構造を示す断面図である。
【図１７】  プリンタの内部構造を示す断面図である。
【図１８】  プリンタの内部構造を示す断面図である。
【図１９】  プリンタの内部構造を示す断面図である。
【図２０】  プリンタの内部構造を示す断面図である。
【図２１】  （ａ）は従来のプリンタの斜視図、（ｂ）は従来のプリンタの側面図である。
【図２２】  従来のプリンタの要部断面図である。
【符号の説明】
１０        ケーシング
１１        給紙口
１２        排紙口
１３        給紙部
１４        本体部
１５        排紙部
１６        制御部
１７        記録部
１８        インクジェットヘッド（記録ヘッド）
１９，２０  区画板
２１，２２  区画板
２６        左側板
２７        右側板
３２        給紙ローラ
３４        プラテン
３６        インクタンク
４０        記録紙（記録媒体）
５０        経路変更板
５３        押し込み体（押し込み手段，移動体）
５４        紙倒れ防止機構
５７        移動板
６０        用紙隔壁（規制板）
１０１       押し込み板（押し込み手段，回転体）
【図１】
0003888913.tif 000002
【図２】
0003888913.tif 000003
【図３】
0003888913.tif 000004
【図４】
0003888913.tif 000005
【図５】
0003888913.tif 000006
【図６】
0003888913.tif 000007
【図７】
0003888913.tif 000008
【図８】
0003888913.tif 000009
【図９】
0003888913.tif 000010
【図１０】
0003888913.tif 000011
【図１１】
0003888913.tif 000012
【図１２】
0003888913.tif 000013
【図１３】
0003888913.tif 000014
【図１４】
0003888913.tif 000015
【図１５】
0003888913.tif 000016
【図１６】
0003888913.tif 000017
【図１７】
0003888913.tif 000018
【図１８】
0003888913.tif 000019
【図１９】
0003888913.tif 000020
【図２０】
0003888913.tif 000021
【図２１】
0003888913.tif 000022
【図２２】
0003888913.tif 000023